(57)【要約】【課題】布部材を広げて一対の棒状体で支持することにより迅速に乾燥させることができ、一対の棒状体がトレー部や引き出し部の邪魔にならない引き出し形乾燥庫を提供する。【解決手段】引き出し形乾燥庫１は、キャビネットに設けられたケーシング部と、ケーシング部に対して引き出し収納自在に設けられ、被乾燥物を収納可能な引き出し部４と、引き出し部の上縁部４０に取付けられるトレー部６０とを備えている。トレー部には交叉可能な一対の棒状体６１，６２を揺動可能に設け、一対の棒状体は、交叉して閉じるとトレー部の上端面６３に沿って配置され、交叉せずに開くと布部材４３を広げた状態で支持可能である。【選択図】図８
2009011334.tif 000002
【特許請求の範囲】
【請求項１】
住宅設備機器のキャビネットに引き出し部が引き出し収納自在に設けられ、被乾燥物を収納して乾燥させるための引き出し形乾燥庫であって、
前記キャビネットに設けられたケーシング部と、このケーシング部に対して引き出し収納自在に設けられ、前記被乾燥物を収納可能な前記引き出し部と、この引き出し部の上縁部に取付けられるトレー部とを備え、
このトレー部には交叉可能な一対の棒状体を揺動可能に設け、この一対の棒状体は、交叉して閉じると前記トレー部の上端面に沿って配置され、交叉せずに開くと布部材を広げた状態で支持可能であることを特徴とする引き出し形乾燥庫。
【請求項２】
請求項１に記載の引き出し形乾燥庫であって、
前記トレー部は、前記引き出し部の前板と平行に左右方向に配置されるとともに前記一対の棒状体を開いたときと閉じたときとで前後方向に取付け位置を変更可能であることを特徴とする引き出し形乾燥庫。
【請求項３】
請求項１または２に記載の引き出し形乾燥庫であって、前記一対の棒状体はそれぞれ針金により一体的に折曲形成されていることを特徴とする引き出し形乾燥庫。
【請求項４】
請求項１，２または３に記載の引き出し形乾燥庫であって、
前記トレー部は前記引き出し部の前記上縁部に対して着脱可能であり、前記一対の棒状体の両方を上方に向けると、この一対の棒状体は把手の機能を発揮して前記トレー部を持ち運びできることを特徴とする引き出し形乾燥庫。
【請求項５】
請求項１ないし４のいずれかの項に記載の前記引き出し形乾燥庫が前記キャビネットに設けられていることを特徴とする引き出し形乾燥庫を有する住宅設備機器。
【発明の詳細な説明】
【技術分野】
【０００１】
本発明は、住宅設備機器のキャビネットに引き出し部が引き出し収納自在に設けられ、被乾燥物を収納して乾燥させるための引き出し形乾燥庫およびこれを有する住宅設備機器に関する。
【背景技術】
【０００２】
システムキッチンなど住宅設備機器には、そのキャビネットに引き出し部を引き出し収納自在に設け、被乾燥物を引き出し部に収納してこれを乾燥させるための引き出し形乾燥庫を備えている場合がある。
たとえば、特許文献１（特開２００６−３４１００４号公報）には、キッチンに設けられた引き出し形の乾燥キャビネットの構造が記載されている。この乾燥キャビネットでは、引き出し前板の上側に横方向に細長く延びるライン型の把手を設け、乾燥機構のためのスイッチユニットと排気ユニットを把手の凹部に組み込んでいる。
【特許文献１】特開２００６−３４１００４号公報
【発明の開示】
【発明が解決しようとする課題】
【０００３】
特許文献１に記載の乾燥キャビネットには、濡れた調理用器具など被乾燥物を収納して乾燥させるが、被乾燥物の一つである布巾など布部材を広げて乾燥させるための配慮はなされていなかった。
【０００４】
本発明は、このような課題を解決するためになされたもので、被乾燥物の一つである布巾など布部材を広げて一対の棒状体で支持することにより迅速に乾燥させることができ、また、一対の棒状体がトレー部や引き出し部の邪魔になることのない引き出し形乾燥庫およびこれを有する住宅設備機器を提供することを目的とする。
【課題を解決するための手段】
【０００５】
上述の目的を達成するため、本発明にかかる引き出し形乾燥庫は、住宅設備機器のキャビネットに引き出し部が引き出し収納自在に設けられ、被乾燥物を収納して乾燥させるための引き出し形乾燥庫であって、前記キャビネットに設けられたケーシング部と、このケーシング部に対して引き出し収納自在に設けられ、前記被乾燥物を収納可能な前記引き出し部と、この引き出し部の上縁部に取付けられるトレー部とを備え、このトレー部には交叉可能な一対の棒状体を揺動可能に設け、この一対の棒状体は、交叉して閉じると前記トレー部の上端面に沿って配置され、交叉せずに開くと布部材を広げた状態で支持可能になっている。
前記トレー部は、前記引き出し部の前板と平行に左右方向に配置されるとともに前記一対の棒状体を開いたときと閉じたときとで前後方向に取付け位置を変更可能であるのが好ましい。好ましくは、前記一対の棒状体はそれぞれ針金により一体的に折曲形成されている。
たとえば、前記トレー部は前記引き出し部の前記上縁部に対して着脱可能であり、前記一対の棒状体の両方を上方に向けると、この一対の棒状体は把手の機能を発揮して前記トレー部を持ち運びできる。
本発明にかかる住宅設備機器は、前記構成の引き出し形乾燥庫がキャビネットに設けられている。
【発明の効果】
【０００６】
本発明にかかる引き出し形乾燥庫およびこれを有する住宅設備機器は、上述のように構成したので、被乾燥物の一つである布巾など布部材を広げて一対の棒状体で支持することにより迅速に乾燥させることができ、また、一対の棒状体がトレー部や引き出し部の邪魔になることはない。
【発明を実施するための最良の形態】
【０００７】
下記の実施例にかかる引き出し形乾燥庫は、住宅設備機器のキャビネットに引き出し部が引き出し収納自在に設けられ、被乾燥物を収納して乾燥させる機能を有している。引き出し形乾燥庫は、キャビネットに設けられたケーシング部と、このケーシング部に対して引き出し収納自在に設けられ、被乾燥物を収納可能な引き出し部と、この引き出し部の上縁部に取付けられるトレー部とを備えている。
そして、このトレー部には交叉可能な一対の棒状体を揺動可能に設け、この一対の棒状体は、交叉して閉じるとトレー部の上縁部に沿って配置され、交叉せずに開くと被乾燥物の一つである布部材を広げた状態で支持可能である。
これにより、布巾など布部材を広げて一対の棒状体で支持し、こうして広がった布部材を迅速に乾燥させることができ、また、一対の棒状体がトレー部や引き出し部の邪魔にならないようにするという目的を実現している。
【０００８】
本発明における住宅設備機器としては、台所に設置されるキッチン（たとえば、複合厨房家具の一種であるシステムキッチン，セクショナルキッチン）、食器や食品などを収納する収納庫、および台所の流し台などの厨房家具が一般的である。
本発明の引き出し形乾燥庫は、洗面化粧台や洗面収納キャビネットなどの洗面機器、およびその他の住宅設備機器にも適用可能である。下記の実施例では、引き出し形乾燥庫をシステムキッチンに設けた場合を例にとって説明する。
【実施例】
【０００９】
以下、本発明にかかる一実施例を、図１ないし図１０を参照して説明する。
図１は、引き出し形乾燥庫を有するシステムキッチンの正面図である。図２，図３は、それぞれ引き出し形乾燥庫を含むキャビネットの正面図，斜視図である。図４は、引き出し形乾燥庫を含むキャビネットの斜視図で、引き出し形乾燥庫の引き出し部を少し引き出した状態を示している。図５は、引き出し形乾燥庫の右側面図である。
図６，図７は布巾を掛けないときの図で、図６は引き出し部の斜視図である。図７（Ａ），（Ｂ）は、それぞれトレー部の平面図，正面図、図７（Ｃ）は、図７（Ａ）のＣ−Ｃ線矢視図である。
図８，図９は布巾を乾燥するときの図で、図８は引き出し部の斜視図である。図９（Ａ）はトレー部の平面図、図９（Ｂ）は図９（Ａ）のＢ−Ｂ線矢視図である。図１０は、トレー部を持ち運ぶときの状態を示す図で、図７（Ｃ）相当図である。
なお、説明の便宜上、各図中の矢印Ｄ1，Ｄ2，Ｄ3，Ｄ4で示す各方向を、それぞれシステムキッチンの左方，右方，前方，後方とする。
【００１０】
図１に示すように、住宅設備機器としてのシステムキッチン１０は、台所に設置されており、被乾燥物２を収納して乾燥させるための引き出し形乾燥庫１を有している。システムキッチン１０のキャビネット１１は床面上に設置されている。
キャビネット１１は、コンロキャビネット１２，乾燥庫キャビネット１３，シンクキャビネット１４および調理台キャビネット１５などが順次並設された構成であり、ワークトップ１６が、キャビネット１２〜１５の上部を覆って取付けられている。キャビネット１１には、引き出し形乾燥庫１の引き出し部４の他に各種形状，構造の複数の引き出しが、引き出し収納自在に設けられている。
【００１１】
コンロキャビネット１２には、グリル１７を有するＩＨクッキングヒータや引き出し１８，１９などが設けられて、単体としての厨房家具が構成されている。乾燥庫キャビネット１３は、引き出し形乾燥庫１や引き出し２０，２１などを有して、単体としての厨房家具を構成している。
シンクキャビネット１４の上部のワークトップ１６には、水栓装置やシンクが設けられている。シンクキャビネット１４は、水栓装置，シンクの他に引き出し２２などを有しており、シンクの前面には幕板３１が設けられて、単体としての厨房家具を構成している。
調理台キャビネット１５は、ビルトインにより設けられた食器洗い乾燥機２３と、引き出し２４とを有して、単体としての厨房家具を構成している。
乾燥庫キャビネット１３および調理台キャビネット１５の上部のワークトップ１６は、調理台になっている。こうして、システムキッチン１０は、単体としての厨房家具が複合した複合厨房家具を構成している。
【００１２】
図１ないし図５に示すように、本実施例では、乾燥庫キャビネット１３に引き出し形乾燥庫１が設けられ、この引き出し形乾燥庫１の上部と下部にそれぞれ引き出し２０，２１が配置されている。
引き出し形乾燥庫１は、システムキッチン１０のキャビネット１１に引き出し部４が引き出し収納自在に設けられ、被乾燥物２を引き出し部４に収納して温風５で乾燥させる機能を有している。
食器類は食器洗い乾燥機２３で洗浄，乾燥されるので、引き出し形乾燥庫１で乾燥する被乾燥物２としては、主として、鍋，ボール，レードル，お玉杓子，菜箸など調理用器具や、ナイフ，フォーク，布部材（たとえば、布巾，タオル）などがある。
引き出し形乾燥庫１は、シンクのすぐ近くに配置されているので、シンクで被乾燥物２を洗って軽く水切りした後、すぐ近くの引き出し形乾燥庫１に収納して乾燥することができ、使い勝手がよい。引き出し形乾燥庫１は、本実施例のようにシンクのすぐ近くに配置するのが好ましいが、その他の位置に配置する場合であってもよい。
【００１３】
引き出し形乾燥庫１は、キャビネット１１に設けられ、温風発生部６とその配線６ａが設けられたケーシング部７と、ケーシング部７に対して引き出し収納自在に設けられ、被乾燥物２を収納可能な引き出し部４とを備えている。
本実施例の引き出し形乾燥庫１は、左右方向（矢印Ｄ1，Ｄ2方向）の幅寸法（たとえば、６００mm）が比較的長い。引き出し部４は、前方に位置して固定された前板９を有しており、前板９には排気口２６が形成されている。
【００１４】
ケーシング部７の後部には、温風発生部６が取付けられており、温風発生部６は、送風機３２とヒータ３３を有している。
送風機３２で発生した風が、ヒータ３３を通って温風５となり、この温風５が、引き出し部４の後部に形成された温風入口を通って、引き出し部４の内部スペースに供給されるようになっている。
【００１５】
引き出し形乾燥庫１では、温風発生部６を操作するために配線６ａが接続されたスイッチ部８が、ケーシング部７の前面部に配置されている。スイッチ部８には、温風発生部６の電源をオン・オフする電源スイッチや、温風５の風量，温度などを所定値に切換えるための選択スイッチや、各種表示部などが設けられている。
前板９には、スイッチ部８の取り付け位置（正面から見て、引き出し形乾燥庫１の右上角部）と形状（正面から見て横に長い矩形状）に対応する切り欠き部３０が形成されている。そして、引き出し部４をケーシング部７に収納した状態で、スイッチ部８が切り欠き部３０に係合するようになっている。
【００１６】
図１ないし図１０に示すように、引き出し形乾燥庫１は、ケーシング部７と引き出し部４のほかに、引き出し部４の上縁部４０に取付けられるトレー部６０を備えている。トレー部６０には、比較的長寸法の調理用器具、たとえば、レードル，お玉杓子，菜箸などが被乾燥物として収納可能である。
本実施例の引き出し形乾燥庫１は、上述のように左右方向の幅寸法が比較的長いので、細長いトレー部６０を左右方向に向けて引き出し部４に取付けることができるようになっている。
トレー部６０は、引き出し部４における対向する両縁部４０の間に掛け渡して支持されており、支持された状態で、左右方向への移動は規制され、前後方向（矢印Ｄ3，Ｄ4方向）にのみ移動可能である。
トレー部６０は、引き出し部４に対して着脱可能な場合を示しているが、引き出し部４に対して前後方向にのみ移動可能に拘束されて取外しできない場合であってもよい。
【００１７】
引き出し部４において、トレー部６０には交叉可能な一対の棒状体６１，６２を揺動可能に設けている。この一対の棒状体６１，６２は、交叉して閉じるとトレー部６０のほぼ上端面６３に沿って配置される（図６，図７）。
一対の棒状体６１，６２は、交叉せずに開くと、被乾燥物の一つである布巾４３など布部材を広げた状態で支持可能になっている（図８，図９）。これにより、引き出し形乾燥庫１は、布巾４３など布部材を広げて一対の棒状体６１，６２で支持することができる。
こうして広がった布部材に温風５を当てれば、温風５は、布部材の全体に行き渡って接触するので、布部材を迅速に乾燥させることができる。また、一対の棒状体６１，６２は、トレー部６０や引き出し部４に対して被乾燥物を出し入れするときの邪魔になることはない。
一対の棒状体６１，６２で広げて乾燥される布部材としては、布巾４３の他に、タオルなどであってもよい。
【００１８】
トレー部６０は、引き出し部４の前板９と平行に左右方向に配置されるとともに、一対の棒状体６１，６２を開いたときと閉じたときとで、前後方向に取付け位置を変更可能になっている。
これにより、一対の棒状体６１，６２を閉じているときには（図６）、トレー部６０を前板９側に寄せて配置できるので、引き出し部４の上部開口が広くなり、引き出し部４に対して一対の棒状体６１，６２が邪魔にならずに被乾燥物２を容易に出し入れすることができる。
また、一対の棒状体を開いたときには（図８）、トレー部６０を前板９から離して後方側に位置させることができる。このようにすれば、手前側に開いた棒状体６１を前板９に当てずに前板９から離すことができるので、布巾４３を一対の棒状体６１，６２に掛け渡して広げることができる。
【００１９】
一対の棒状体６１，６２は、それぞれ針金（たとえば、ステンレス製針金）により一体的に折曲形成されている。
これにより、棒状体６１，６２を容易に製造することができ、また棒状体６１，６２が軽量なので、棒状体６１，６２を含むトレー部６０全体を軽量化することができる。なお、棒状体６１，６２を、それぞれ合成樹脂により形成してもよい。
【００２０】
トレー部６０は、平面視で細長い矩形状をなしている。対向する一対の短辺６４と、対向する一対の長辺６５とにより囲まれた内方が、レードル，お玉杓子，菜箸など比較的長寸法の被乾燥物を収納するのに便利な収納空間になっている。一対の短辺６４の上面と、一対の長辺６５の上面とより、トレー部６０の上端面６３が構成されている。
トレー部６０の一対の短辺６４には、一方の棒状体６１を揺動自在に支持する一対の第１の支持部６６が形成されている。一方の棒状体６１は、第１の支持部６６を中心として、矢印Ｂ1（図９（Ｂ））に示すように自在に揺動することができる。
一対の短辺６４には、他方の棒状体６２を揺動自在に支持するための一対の第２の支持部６７も形成されている。他方の棒状体６２は、一対の第２の支持部６７を中心として、矢印Ｂ2（図９（Ｂ））に示すように自在に揺動することができる。
【００２１】
一対の棒状体６１，６２が交叉して閉じているときには（図６，図７）、一対の棒状体６１，６２は、長辺６５の上端面６３上に載って面支持された状態になっている。
一対の棒状体６１，６２が交叉せずに開いた状態になると（図８，図９）、一方の棒状体６１は、第１の支持部６６側の長辺６５に点支持されながらさらにその外方に延びて開いた状態になる。他方の棒状体６２も、第２の支持部６７側の長辺６５に点支持された状態でさらに外方に延びて開く。
その結果、一対の棒状体６１，６２と、トレー部６０の上端面６３とにより、前後方向に大きく広がった支持構造が形成されることになる。また、トレー部６０は、左右方向にもともと長い形状になっているので、結果的に、左右方向と前後方向の両方に広く広がった支持構造が形成されることになる。
【００２２】
この状態で、布巾４３をトレー部６０の上に掛け渡せば、布巾４３は、一対の棒状体６１，６２と、トレー部６０の上端面６３とにより、しわなどがよらず安定的に広がった状態で支持される。そして温風５を流せば、温風５が布巾４３全体に行き渡って接触して迅速に乾燥させることができる。
一対の棒状体６１，６２は、交叉して閉じた状態にすると、トレー部６０のほぼ上端面６３に沿って配置されるので、被乾燥物をトレー部６０や引き出し部４に対してそれぞれ出し入れするのに、棒状体６１，６２が邪魔になることはない。
こうして、システムキッチン１は、キャビネット１１に設けられた上述の構成の引き出し形乾燥庫１を有している。
【００２３】
上述の引き出し形乾燥庫１を使用して布巾４３などを乾燥するときには、一対の棒状体６１，６２を交叉せずに開き、布巾４３を一対の棒状体６１，６２に掛け渡して広げた状態で、引き出し部４をケーシング部７に収納する。
そして、スイッチ部８を操作して温風発生部６を運転すれば、温風発生部６の送風機３２とヒータ３３により発生した温風５が、引き出し部４の後部に形成された温風入口から、引き出し部４内に流れ込む。
すると、温風５は、引き出し部４に収納されている被乾燥物２に接触して乾燥させた後、被乾燥物２から蒸発した水蒸気と一緒になって、ケーシング部７で囲まれた内部スペースを通り、前板９に形成された排気口２６から外部に排出される。
また、引き出し部４の内部を通った温風５は、一対の棒状体６１，６２により広げられている布巾４３を、その下面から上面に通過して乾燥させる（図９（Ｂ））。布巾４３で発生した水蒸気は、上述と同様にケーシング部７の内部スペースを流れた後、排気口２６から外部に排出される。
【００２４】
トレー部６０は引き出し部４の上縁部４０に対して着脱可能である。したがって、図１０に示すように、一対の棒状体６１，６２の両方を上方に向けると、この一対の棒状体６１，６２は把手の機能を発揮してトレー部６０を持ち運びすることができるので、トレー部６０の使い勝手がよい。
【００２５】
本実施例では、布巾４３を支持するための一対の棒状体６１，６２をトレー部６０に設けたので、引き出し部４の本体に対する設計変更が不要になり、引き出し部４の本体の設計を共通化することができる。
また、一対の棒状体６１，６２をトレー部６０に設けたので、この棒状体６１，６２がトレー部６０の補強材の機能も発揮してトレー部６０の剛性が向上する。
一対の棒状体６１，６２は、自在に交叉する構成なので、交叉して閉じているときにはコンパクトであり、交叉せずに開いたときには、その幅寸法Ｗを非常に大きくすることができる。
したがって、布巾４３など布部材のサイズが大きい場合であっても、この布部材全体が大きく広がるように棒状体６１，６２で支持し、布部材を温風５で迅速に乾燥させることができる。
【００２６】
システムキッチン１０に引き出し形乾燥庫１を設けたので、洗い終わった調理用器具などがワークトップ１６の上などに露出することがなくなり、システムキッチン１０の周囲が乱雑にならない。
特に、対面形のシステムキッチン１０においては、その周囲を常に乱雑にならずすっきりした清潔な状態に保つことができる。
【００２７】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２８】
本発明は、システムキッチンや収納庫など住宅設備機器のキャビネットに設けられる引き出し形乾燥庫に適用可能である。
【図面の簡単な説明】
【００２９】
【図１】図１ないし図１０は本発明の一実施例を示す図で、図１は、引き出し形乾燥庫を有するシステムキッチンの平面図である。
【図２】引き出し形乾燥庫を含むキャビネットの正面図である。
【図３】引き出し形乾燥庫を含むキャビネットの斜視図である。
【図４】引き出し形乾燥庫を含むキャビネットの斜視図で、引き出し形乾燥庫の引き出し部を少し引き出した状態を示している。
【図５】引き出し形乾燥庫の右側面図である。
【図６】図６，図７は布巾を掛けないときの図で、図６は引き出し部の斜視図である。
【図７】図７（Ａ），（Ｂ）は、それぞれトレー部の平面図，正面図、図７（Ｃ）は、図７（Ａ）のＣ−Ｃ線矢視図である。
【図８】図８．図９は布巾を乾燥するときの図で、図８は引き出し部の斜視図である。
【図９】図９（Ａ）はトレー部の平面図、図９（Ｂ）は、図９（Ａ）のＢ−Ｂ線矢視図である。
【図１０】トレー部を持ち運ぶときの状態を示す図で、図７（Ｃ）相当図である。
【符号の説明】
【００３０】
１    引き出し形乾燥庫
２    被乾燥物
４    引き出し部
７    ケーシング部
９    前板
１０  システムキッチン（住宅設備機器）
１１  キャビネット
４０  上縁部
４３  布巾（布部材）
６０  トレー部
６１  一方の棒状体（棒状体）
６２  他方の棒状体（棒状体）
６３  上端面
【図１】
2009011334.tif 000003
【図２】
2009011334.tif 000004
【図３】
2009011334.tif 000005
【図４】
2009011334.tif 000006
【図５】
2009011334.tif 000007
【図６】
2009011334.tif 000008
【図７】
2009011334.tif 000009
【図８】
2009011334.tif 000010
【図９】
2009011334.tif 000011
【図１０】
2009011334.tif 000012